(57)【要約】  本発明は、無線通信システムの複数の無線局（ＡＰ，Ｎ１，Ｎ２，ＭＳ１，ＭＳ２）における無線リソースを割当てるための方法に関する。前記無線通信システム内では無線局（ＡＰ，ＭＳ２）間で他の無線局（Ｎ１，Ｎ２）を介したメッセージ転送によってメッセージの伝送が行われており、前記複数の無線局のメッセージ伝送におけるそれらの機能に関する種々異なるクラスが使用可能である。無線装置（ＢＳ）は前記複数の無線局からのメッセージの送信又は転送に対する無線リソースの割当て要求のための要求メッセージを受信する。本発明によれば、前記無線装置（ＢＳ）が、前記複数の無線局のクラスの考慮のもとで少なくとも１つのメッセージ（ＲＥＳＳＯＵＲＣＥ  ＭＥＳＳＡＧＥ）による割当てに関する情報提供によって、無線リソースの割当てを要求している複数の無線局に対する無線リソースの割当てを実施する。
2007531439.tif 000002
【特許請求の範囲】
【請求項１】
無線通信システムの複数の無線局（ＡＰ，Ｎ１，Ｎ２，ＭＳ１，ＭＳ２）における無線リソースを割当てるための方法であって、
前記無線通信システム内では無線局（ＡＰ，ＭＳ２）間で他の無線局（Ｎ１，Ｎ２）を介したメッセージ転送によってメッセージの伝送が行われており、
前記複数の無線局（ＡＰ，Ｎ１，Ｎ２，ＭＳ１，ＭＳ２）のメッセージ伝送におけるそれらの機能に関する種々異なるクラスが使用可能であり、
無線装置（ＢＳ）が、前記複数の無線局（ＡＰ，Ｎ１，Ｎ２，ＭＳ１，ＭＳ２）からのメッセージの送信又は転送に対する無線リソースの割当て要求のための要求メッセージ（ＲＲ−ＭＳ，ＲＲ−Ｎ−Ｎ，ＲＲ−Ｎ−ＭＳ，ＲＲ−ＡＰ−ＭＳ，ＲＲ−ＡＰ−Ｎ）を受信している形式の方法において、
前記無線装置（ＢＳ）が、前記複数の無線局（ＡＰ，Ｎ１，Ｎ２，ＭＳ１，ＭＳ２）のクラスの考慮のもとで少なくとも１つのメッセージ（ＲＥＳＳＯＵＲＣＥ  ＭＥＳＳＡＧＥ）による割当てに関する情報提供によって、無線リソースの割当てを要求している複数の無線局（ＡＰ，Ｎ１，Ｎ２，ＭＳ１，ＭＳ２）に対する無線リソースの割当てを実施するようにしたことを特徴とする方法。
【請求項２】
第１クラスの無線局（Ｎ１，Ｎ２）が、無線局（ＡＰ，ＭＳ２）から受信したメッセージを他の無線局（Ｎ２，Ｎ１）にメッセージ転送のために転送している、請求項１記載の方法。
【請求項３】
第２クラスの無線局（Ｎ２）が、無線局（Ｎ１）から受信したメッセージをそのつどのメッセージがアドレス指定している無線局（ＭＳ２）に転送している、請求項１または２記載の方法。
【請求項４】
第３クラスの無線局（ＡＰ）が他の通信システムから受信したメッセージを、このメッセージを転送すべき無線局（Ｎ１）に転送している、請求項１から３いずれか１項記載の方法。
【請求項５】
第４クラスの無線局（ＡＰ）が、他の通信システム（ＩＮＴＥＲＮＥＴ）から受信したメッセージをそのつどのメッセージがアドレス指定している無線局（ＭＳ１）に転送している、請求項１から４いずれか１項記載の方法。
【請求項６】
第５クラスの無線局（ＭＳ１，ＭＳ２）が固有のメッセージを無線局（Ｎ２，ＡＰ）に送信している、請求項１から５いずれか１項記載の方法。
【請求項７】
無線リソースの割当ての際のクラスの考慮は、１つの無線周波数（Ｆ１）に対してタイムスロットがまず最初に第１のクラス、その後で第３のクラスのような順序で無線局（Ｎ１，Ｎ２，ＡＰ）の優先付けに従って割当てられるように行われる、請求項２または４記載の方法。
【請求項８】
無線リソースの割当てにおけるクラスの考慮は、１つ又は複数の無線周波数（Ｆ２，Ｆ３，Ｆ４）に対してタイムスロットがまず最初に第２及び第４のクラス、その後で第５のクラスのような順序で無線局（Ｎ２，ＡＰ，ＭＳ１，ＭＳ２）の優先付けに従って割当てられるように行われる、請求項３又は５又は６記載の方法。
【請求項９】
前記無線通信システムの複数の無線局（ＡＰ，Ｎ１，Ｎ２，ＭＳ１，ＭＳ２）は、第１の無線インターフェースを用いて相互に通信され、さらに第２の無線インターフェースを用いて無線装置（ＢＳ）と通信される、請求項１から８いずれか１項記載の方法。
【請求項１０】
無線通信システムの複数の無線局（ＡＰ，Ｎ１，Ｎ２，ＭＳ１，ＭＳ２）に対する無線リソースを割当てるための無線装置であって、
前記無線通信システム内では無線局（ＡＰ，ＭＳ２）の間で他の無線局（Ｎ１，Ｎ２）を介したメッセージ転送によってメッセージの伝送が行われており、
前記複数の無線局（ＡＰ，Ｎ１，Ｎ２，ＭＳ１，ＭＳ２）のメッセージ伝送におけるそれらの機能に関する種々のクラスが使用可能であり、
前記複数の無線局（ＡＰ，Ｎ１，Ｎ２，ＭＳ１，ＭＳ２）からのメッセージの送信又は転送に対する無線リソースの割当て要求のための要求メッセージ（ＲＲ−ＭＳ，ＲＲ−Ｎ−Ｎ，ＲＲ−Ｎ−ＭＳ，ＲＲ−ＡＰ−ＭＳ，ＲＲ−ＡＰ−Ｎ）を受信し処理する手段を有している形式の無線装置において、
前記複数の無線局（ＡＰ，Ｎ１，Ｎ２，ＭＳ１，ＭＳ２）のクラスの考慮のもとで無線リソースの割当てを要求している複数の無線局（ＡＰ，Ｎ１，Ｎ２，ＭＳ１，ＭＳ２）に対する無線リソースを割当てるための手段と、
無線リソースの割当てに関する情報を用いて少なくとも１つのメッセージ（ＲＥＳＯＵＲＣＥ  ＭＥＳＳＡＧＥ）を作成し送信するための手段（ＳＥＮＤ  ＲＥＳＳＯＵＲＣＥ  ＭＥＳＳＡＧＥ，Ａ）を有していることを特徴とする無線装置。
【発明の詳細な説明】
【技術分野】
【０００１】
本発明は、複数のメッセージが無線局間で他の無線局を介したメッセージの転送ないしルーティングによって伝送される、無線通信システムの複数の無線局における無線リソースを割当てるための方法に関している。さらに本発明は、本方法を実施するための無線装置に関する。
【背景技術】
【０００２】
無線通信システムにおいては、例えば音声情報、画像情報、ビデオ情報、ＳＭＳ（ショートメッセージサービス）、ＭＭＳ（マルチメディアメッセージサービス）又は他のデータを有するシグナリングメッセージまたは有効データメッセージのようなメッセージが電磁波を用いることにより無線インターフェースを介して送信局と無線受信局との間で伝送される。この場合の無線局とは無線通信システムの具体的な構成に応じて、種々の加入者側無線局やネットワーク側無線局、例えば無線アクセスポイントやレピータあるいは基地局である。移動無線通信システムにおいては加入者側無線局の少なくとも一部が移動無線局である。電磁波の放射は、それぞれのシステムに対して設けられている周波数帯域内にあるキャリア周波数を用いて行われる。
【０００３】
移動無線通信システムはしばしば、例えばＧＳＭ（Global System for Mobile Communication）標準またはＵＭＴＳ標準（Universal Mobile Telecommunications System）に準拠したセルラシステムとして、複数の基地局、それらの基地局を監視および制御する設備ならびにさらなるネットワーク側の装置からなるネットワークインフラストラクチャによって構築されている。
【０００４】
このような広範囲で編成されている（つまり局所的ではない）階層的なこれらのセルラ式無線ネットワーク以外にも、通常の場合空間的にも明確に限定された無線カバー領域を有する無線ローカルネットワーク（ＷＬＡＮ；Wireless Local Area Network）が存在している。ＷＬＡＮの無線アクセスポイント（ＡＰ：Access Point）によってカバーされるセルは数百メートルもの直径を有しているが、これは通常の移動無線セルに比べれば小さい。ＷＬＡＮに関する種々の標準の例としてハイパーＬＡＮ、ＤＥＣＴ、ＩＥＥＥ８０２．１１、ブルートゥース及びＷＡＴＭが挙げられる。
【０００５】
通常はＷＬＡＮに対してライセンスされていない２．４ＧＨｚの周波数領域が使用される。データ伝送レートは１１Mビット毎秒までにおかれる。将来的なＷＬＡＮは５ＧＨｚの領域で動作し、５０Ｍビット毎秒を上回るデータレートを達成することができる。つまりこのＷＬＡＮの加入者は、移動無線の第３世代によって提供されるデータレートよりも遥かに高いデータレートを使用する。したがって、殊にインターネットアクセスと関連する大容量のデータの伝送に関しては、高ビットレートのコネクションのためのＷＬＡＮへのアクセスが有利である。
【０００６】
ＷＬＡＮ無線アクセスポイントを介せば、他の通信システム、すなわち例えばインターネットなどへの接続を形成することが可能である。これに対してＷＬＡＮの加入者側無線局は、無線アクセスポイントに直接通信するか、無線局が遠く離れている場合には、加入者側無線局と無線アクセスポイントの間でメッセージを転送する他の無線局を介して通信する。使用することの可能な通常は近くにある無線リソースは、ＷＬＡＮの複数の無線局を互いに分け合うかないしはＷＬＡＮの複数の無線局に分割される。この分割は例えば次のように行われる。すなわち最初のメッセージを転送する無線局が無線リソースの大半を使用することができ、それに対して２番目のメッセージを転送する無線局はほとんど無線リソースを使用することができない。そのためメッセージ伝送の際の渋滞と、第２の伝送側無線局の過負荷、そして最終的にはメッセージの損失が結果として引き起こされる。
【０００７】
本発明の課題は、複数の無線局間でのメッセージの伝送が他の無線局を介した当該メッセージのルーティングによって行われる、無線通信システムの複数の無線局における無線リソースを割当てるための効果的な方法を提供することである。さらにこの方法を実施するための複数の無線リソースを割当てるための無線装置の提供も課題の１つである。
【０００８】
前記課題は、請求項１の特徴部分に記載の方法並びに請求項１０の特徴部分に記載された無線装置によって解決される。
【発明を実施するための最良の形態】
【０００９】
有利な実施形態および発展形態は従属請求項に記載されている。
【００１０】
本発明による方法は、無線通信システムの複数の無線局における無線リソースの割当に用いられる。無線通信システムにおいては、複数の無線局間のメッセージ伝送が他の無線局を介した当該メッセージのルーティングによって行われる。メッセージ伝送におけるそれらの機能に関しては無線局の種々のクラスが存在する。無線装置では、無線局からメッセージの送信若しくはルーティングのための無線リソース割当て要求のリクエストメッセージが受信される。本発明によれば、無線装置が、無線リソースの割当を要求した無線局に当該無線局のクラスを考慮しつつ無線リソースを割当てる。さらにこの無線装置は当該割当てに関する少なくとも１つのメッセージを提供する。
【００１１】
無線通信システムの無線局間ではメッセージが専ら無線を介して伝送される。つまりメッセージの有線伝送に係るインフラは伴わない。無線通信システムの無線局とは例えばＷＬＡＮの無線局、詳細には加入者側無線局、中継局、無線アクセスポイントなどの形態の無線局である。また無線装置とは例えばセルラ無線通信システムの基地局である。無線を介したメッセージ伝送に加わる無線通信システムの各無線局は１つまた複数のクラスに帰属する。このクラスとはここではメッセージ伝送における無線局の機能に関わっている。但し同一に構成された無線局が異なるクラスに帰属することも可能である。無線局が複数のクラスに帰属するならば、無線装置はこの無線局の問合せにおいてこの問合せがどのクラスに関して行われているかを無線リソースに従って識別することが可能である。また１つ又は複数のクラスに対する無線局の帰属度を時間と共に変更することも可能である。
【００１２】
無線装置によって無線局に割当てられる無線リソースとは例えば１つ又は複数の無線周波数、例えばＯＦＤＭ帯域及び／又はタイムスリット及び／又はコード及び／又は空間方向などである。特に有利には、タイムスリットと無線周波数の組合わせの割当てである。無線装置による無線リソースの割当ては無線局のクラスを考慮して行われる。このことは例えば様々なクラスの優先付けと優先度の順序に従った無線リソースの割当てによって実現され得る。それにより例えばより高い優先度のクラスの無線局が何も存在しない場合に初めて、それよりも低い優先度のクラスの無線局が割当てられる。この優先度の考慮は、所定の無線リソースに限定することも可能である。それにより例えば無線リソース毎に異なる優先付けを行ってもよいし、所定の無線局に対してだけ、例えば所定の地域の無線局に関してのみ所定の優先付けを行うようにしてもよい。割当てが行われた後では無線装置は当該割当てに関する情報提供を実施する。割当てに関する情報を伴ったメッセージの送信は、無線装置から全ての無線局へ行われてもよいし、無線リソースが割当てられた無線局だけ、及び／又は割当てに関する情報を後続する別の無線局へ転送する無線局だけに絞られてもよい。
【００１３】
本発明の構成によれば、第１クラスの無線局が無線局から受信したメッセージを、当該メッセージを転送する他の無線局へ転送する。ここでは例えば、新たなメッセージを無線通信システムにもたらすのではなくて既に他の無線局から無線通信システムにもたらされたメッセージを転送するレピータや中継局が挙げられる。また第１クラスの無線局とは特にネットワーク側の無線局である。
【００１４】
本発明の別の構成によれば、第２クラスの無線局が無線局から受信したメッセージを、そのつどのメッセージがアドレス指定している無線局へ転送する。ここでも例えば新たなメッセージを無線通信システムにもたらすのではなくて既に他の無線局から無線通信システムにもたらされたメッセージを転送するレピータや中継局が挙げられる。また第２クラスの無線局とは特にネットワーク側の無線局である。
【００１５】
１つの無線局は第１及び第２のクラスの無線局に帰属し得る。従って所定のメッセージに関するそのクラス帰属度は、自身が受信してさらに転送するメッセージをどの無線局に対して確定するかに依存している。
【００１６】
本発明の別の構成によれば、第３クラスの無線局が他の通信システムから受信したメッセージを、このメッセージを転送すべき無線局に転送する。この第３クラスの無線局とは、例えばインターネットへの接続機能を伴ったＷＬＡＮの無線アクセスポイントである。前記他の通信システムは無線通信システムとして構成されていてもよい。第３クラスの無線局は、特にネットワーク側の無線局からなっていてもよい。
【００１７】
本発明の別の構成によれば、第４クラスの無線局が他の無線通信システムから受信したメッセージを、そのつどのメッセージがアドレス指定している無線局に転送する。この第４クラスの無線局とは、例えばインターネットへの接続機能を伴ったＷＬＡＮの無線アクセスポイントである。前記他の通信システムは無線通信システムとして構成されていてもよい。第４のクラスの無線局は、特にネットワーク側の無線局からなっていてもよい。
【００１８】
１つの無線局は第３及び第４のクラスの無線局に帰属し得る。従って所定のメッセージに関するそのクラス帰属度は、他の通信システムから受信しさらに自身から転送すべきメッセージをどの無線局に対して確定するかに依存している。
【００１９】
本発明の別の実施例によれば、第５クラスの無線局が固有のメッセージを無線局に送信する。固有のメッセージとは、他の無線局から転送のために受信されたメッセージではなく無線局から新たに無線通信システムに送信されるメッセージである。第５クラスの無線局とは、特に加入者側の無線局であり得る。
【００２０】
有利には、無線リソースの割当ての際のクラスの考慮は次のように行われる。すなわち１つの無線周波数に対してタイムスロットが次のような順序、すなわちまず最初に第１のクラス、その後で第３のクラスのような順序で無線局の優先付けに従って割当てられるように行われる。このケースでは、第１及び第３クラスの全ての若しくは少なくとも１部の無線局が同じ無線周波数を利用する。有利には、第１のクラスの無線局が無線リソースの割当ての際に処理される。これは既に無線通信システムに存在するメッセージを転送する無線局を意味する。それに対して低い優先付けの第３クラスの無線局は、メッセージを新たに無線通信システムに送信する。それにより無線通信システムへ新たに送信されたメッセージが、既に無線通信システム内に存在するメッセージに対して度外視される。
【００２１】
有利には、無線リソースの割当ての際のクラスの考慮は次のように行われる。すなわち１つ又は複数の無線周波数に対してタイムスロットが次のような順序、すなわちまず最初に第２及び第４のクラス、その後で第５のクラスのような順序で無線局の優先付けに従って割当てられるように行われる。このケースでは第２と第４のクラス、すなわちそれらの無線局が当該メッセージのアドレス宛にメッセージを転送する２つのクラスが共に高い優先度を受け取っている。またこれらの２つのクラスの優先度の間の区別も可能である。無線通信システムへのメッセージの新たな送信も低い優先付けを受け取る。さらにまたここに記載されている第２、第４及び第５クラスの優先付けと前記した第１及び第３クラスの優先付けとを組み合わせることも可能である。有利には、第２、第４及び第５クラスの無線局のもとで分割される１つ又は複数の無線周波数は、第１及び第３クラスの無線局のもとで分割される無線周波数とは別の無線周波数であり得る。
【００２２】
本発明の構成によれば、無線通信システムの無線局は第１の無線インターフェースの適用下で相互に通信し、さらに第２の無線インターフェースの適用下で無線装置と通信する。第１の無線インターフェースとは例えばＷＬＡＮの無線インターフェースであり、第２の無線インターフェースとはセルラ無線インターフェースであり得る。
【００２３】
本発明による、無線通信システムの無線局へ無線リソースを割当てるための無線装置は、無線局からのメッセージを送信又は転送するための無線リソース割当て要求に対するリクエストメッセージを受信し処理するための手段、並びに無線局のクラスの考慮下で無線リソースの割当てを要求した無線局に無線リソースを割当てるための手段、並びに無線リソースの割当てに関する情報を伴った少なくとも１つのメッセージの作成と送信のための手段とを有している。
【００２４】
本発明による無線装置は殊に上述の本発明による方法を実施することに適しており、これは構成および実施形態にも該当する。これに対しては当該無線装置は別の適切な手段も有し得る。本発明による無線装置は、それぞれが手段を有している相互接続された複数の装置によって実現することも可能である。
【００２５】
以下では本発明を実施例に基づき詳細に説明する。
【００２６】
図面
図１は、無線通信システムを示した図であり、図２は、本発明による方法によって送信されるメッセージの内容を概略的に表した図であり、図３は、本発明による基地局の構造を概略的に表した図である。
【実施例】
【００２７】
図1には、ＷＬＡＮが示されている。このＷＬＡＮは無線アクセスポイントＡＰと２つの移動局ＭＳ１，ＭＳ２と、２つの中継局Ｎ１，Ｎ２からなっている。無線アクセスポイントＡＰは、インターネットＩＮＴＥＲＮＥＴへの接続機能を有している。中継局ＮＡ，Ｎ２はネットワーク側の固定の無線局であり、それらは移動局ＭＳ１，ＭＳ２及び無線アクセスポイントＡＰの間のメッセージの転送に用いられている。付加的に若しくは代替的にこのメッセージの転送は部分的に若しくは完全に加入者側の固定の無線局若しくは移動無線局によって実施されてもよい。このＷＬＡＮは図１では見やすくするために示されていなかったが、そこに示されている以外にもさらなる無線アクセスポイントや加入者側無線局並びに中継局を含むことが可能である。
【００２８】
ＷＬＡＮの無線局ＡＰ，ＭＳ１，ＭＳ２，Ｎ１，Ｎ２の間のメッセージ伝送は、ＷＬＡＮ無線インターフェースを用いて行われる。無線アクセスポイントＡＰの無線範囲内に加入者側無線局が存在する場合（例えば図１の移動局ＭＳ１）、この無線局は無線アクセスポイントＡＰと直接の通信が可能である。さらに離れた所に加入者側無線局（例えば図１の移動局ＭＳ２）がある場合には、この加入者側無線局と無線アクセスポイントＡＰとの間のメッセージ伝送は中継局によって行われる。そのため無線アクセスポイントＡＰから移動無線局ＭＳ２へのメッセージは、無線アクセスポイントＡＰから中継局Ｎ１へ送信され得る。この中継局Ｎ１はこのメッセージを中継局Ｎ２に転送し、当該中継局Ｎ２はこのメッセージを移動局ＭＳ２に転送する。
【００２９】
ＷＬＡＮに対しては第１の無線周波数が使用され得る。この第１の無線周波数は中継局Ｎ１とＮ２の間の通信に利用され、さらにこれらの中継局Ｎ１，Ｎ２と無線アクセスポイントＡＰの間の通信に利用される。さらに付加的に３つのさらなる無線周波数が使用可能であり、これらは中継局Ｎ１ないしＮ２と移動局ＭＳ１ないしＭＳ２の間の通信に利用される。それによりこれらの３つのさらなる無線周波数は、１つの加入者側無線局が通信に関与している場合には常に使用される。
【００３０】
ＷＬＡＮの無線局ＡＰ，ＭＳ１，ＭＳ２，Ｎ１，Ｎ２は、例えばＵＭＴＳ標準規格に準拠したセルラ無線通信システムの１つの基地局ＢＳの（雲状に描写された）１つの無線セル内に存在している。このセルラ無線通信システムのさらなる構成要素は図の見易さを損なわないためにここでは図示されていない。無線アクセスポイントＡＰと中継局Ｎ１，Ｎ２、さらに場合によっては移動局ＭＳ１，ＭＳ２も、セルラ無線インターフェースを用いて基地局ＢＳと通信される。セルラ無線インターフェースを用いた通信に対しては、ＷＬＡＮ内の通信に対する無線周波数よりも低い無線周波数が使用されるので、無線アクセスポイントＡＰと中継局Ｎ１，Ｎ２並びに場合によって移動局ＭＳ１，ＭＳ２は、基地局ＢＳとメッセージの転送なしで直接通信される。加入者側無線局の装備がセルラ無線インターフェースを用いた基地局ＢＳとの通信を許容できない場合には、そのつどの加入者側無線局と基地局ＢＳとの間の通信は、加入者側無線局の近くに目下存在している中継局を介して行われ得る。それにより例えば移動局ＭＳ２がセルラ無線インターフェースを用いて基地局ＢＳと通信できない時には、中継局Ｎ２を介して基地局ＢＳと通信する。
【００３１】
移動局ＭＳ１ないしＭＳ２がメッセージの送信を目論むと、これらの移動局はこの送信に対する無線リソースを要求する。移動局ＭＳ１ないしＭＳ２がその送信を目論んでいるメッセージは、インターネットＩＮＴＥＲＮＥＴからのデータに関わる問合せからなる。移動局ＭＳ１ないしＭＳ２は、無線リソース割当てのための要求メッセージＲＲ−ＭＳ（ＲＲ：リソース要求）を送信する。この要求メッセージＲＲ−ＭＳは、基地局ＢＳに直接送信されるか、若しくは移動局ＭＳ２の場合のように中継局Ｎ２に送信されるか、あるいは移動局ＭＳ１の場合のように無線アクセスポイントＡＰに送信され、この無線アクセスポイントＡＰによって基地局ＢＳに転送されている。この中継局又は無線アクセスポイントへの要求メッセージＲＲ−ＭＳの送信に対しては、加入者側無線局は、加入者側無線局による通信に使用できる３つの無線周波数のうちの１つを使用する。
【００３２】
中継局Ｎ２が中継局Ｎ１を介して無線アクセスポイントＡＰに転送すべきメッセージを移動局ＭＳ２から受信すると、中継局Ｎ２は要求メッセージＲＲ−Ｎ−Ｎを基地局ＢＳに送信する。それにより基地局ＢＳは、他の中継局へのメッセージ送信のための中継局Ｎ２への無線リソース割当てを要求する。この場合、要求メッセージＲＲ−Ｎ−Ｎは中継局Ｎ１の識別情報を含み得る。しかしながら基地局ＢＳは、この要求メッセージＲＲ−Ｎ−Ｎから次のようなことを推定することも可能である。すなわち他の中継局へのメッセージ送信のために中継局Ｎ２によって無線リソースが必要とされることを推定することも可能である。
【００３３】
中継局Ｎ２が移動無線局ＭＳ２へさらに転送すべきメッセージを中継局Ｎ１から受信すると、中継局Ｎ２は要求メッセージＲＲ−Ｎ−ＭＳを基地局ＢＳに送信する。基地局ＢＳはこの要求メッセージＲＲ−Ｎ−ＭＳから、中継局Ｎ２が加入者側無線局へメッセージを転送するための無線リソースを必要としていることを識別する。この場合、要求メッセージＲＲ−Ｎ−ＭＳは移動局ＭＳ２の識別情報を含み得る。
【００３４】
相応に中継局Ｎ１も次のような場合に要求メッセージＲＲ−Ｎ−Ｎを基地局ＢＳに送信する。すなわち無線アクセスポイントＡＰから中継局Ｎ２へのメッセージ若しくは中継局Ｎ２から無線アクセスポイントＡＰへのメッセージを転送した場合に要求メッセージＲＲ−Ｎ−Ｎを基地局ＢＳに送信する。中継局Ｎ１及びＮ２から送信された要求メッセージＲＲ−Ｎ−Ｎが、メッセージを転送すべき無線局の識別情報を何も含んでいない場合には、メッセージを中継局Ｎ１ないしＮ２に転送すべきなのか若しくは無線アクセスポイントＡＰに転送すべきなのかを推定することができない。このことは、中継局Ｎ１とＮ２の間の通信及び中継局Ｎ１と無線アクセスポイントＡＰの間の通信に対して同じ無線周波数が利用されていることに起因している。
【００３５】
インターネットＩＮＴＥＲＮＥＴから受信した、移動局ＭＳ１へのメッセージが無線アクセスポイントＡＰから入手できる場合には、無線アクセスポイントＡＰは要求メッセージＲＲ−ＡＰ−ＭＳを送信する。基地局ＢＳは、この要求メッセージＲＲ−ＡＰ−ＭＳから次のようなことを推定する。すなわちメッセージが無線アクセスポイントＡＰから直接加入者側無線局に送信されるべきことと、この送信に対してリソースが必要となることを推定する。この要求メッセージＲＲ−ＡＰ−ＭＳには、移動局ＭＳ１に関する識別情報が含まれていてもよい。無線アクセスポイントＡＰによってインターネットＩＮＴＥＲＮＥＴから受信したメッセージが移動局ＭＳ２にアドレス指定されている場合には、基地局ＢＳへの要求メッセージＲＲ−ＡＰ−Ｎの送信が次のような内容を伴って行われる。すなわち場合によっては中継局Ｎ１の識別情報の言及のもとで無線アクセスポイントＡＰがメッセージを中継局へ送信するための無線リソースを必要とする内容を伴って行われる。
【００３６】
前述してきた要求メッセージＲＲ−ＭＳ，ＲＲ−Ｎ−Ｎ，ＲＲ−Ｎ−ＭＳ，ＲＲ−ＡＰ−ＭＳ，ＲＲ−ＡＰ−Ｎの各々は、それぞれ送信すべき１つ又は複数のメッセージの規模に関するデータを含んでいてもよい。それにより基地局ＢＳは、どれくらいの規模の無線リソースをそのつどの無線局に割当てるべきかについて推定することが可能となる。
【００３７】
それに伴って要求メッセージＲＲ−ＭＳ，ＲＲ−Ｎ−Ｎ，ＲＲ−Ｎ−ＭＳ，ＲＲ−ＡＰ−ＭＳ，ＲＲ−ＡＰ−Ｎが存在する。これらの要求メッセージ間の違いは、ＷＬＡＮの無線局ＡＰ，ＭＳ１，ＭＳ２，Ｎ１，Ｎ２のメッセージ伝送の際の機能に起因している。すなわち、メッセージ伝送の際のＷＬＡＮの無線局ＡＰ，ＭＳ１，ＭＳ２，Ｎ１，Ｎ２の機能に関して種々異なる機能クラスが存在している。要求メッセージＲＲ−ＭＳは、メッセージを何も転送しないのではなく新たなメッセージを送信する加入者側無線局から来ている。要求メッセージＲＲ−Ｎ−Ｎは、他の基地局又は他の加入者側無線局又は他の無線アクセスポイントＡＰから受信したメッセージを他の基地局に転送する基地局から来ている。要求メッセージＲＲ−Ｎ−ＭＳは、他の基地局若しくは無線アクセスポイントＡＰから受信したメッセージを当該メッセージによってアドレス指定された無線局に転送する中継局から来ている。要求メッセージＲＲ−ＡＰ−ＭＳは、他の通信システムから受信した加入者側無線局に対するメッセージを当該加入者側無線局に転送する無線アクセスポイントＡＰから来ている。要求メッセージＲＲ−ＡＰ−Ｎは、他の通信システムから受信したメッセージを当該メッセージ転送のために中継局に転送する無線アクセスポイントＡＰから来ている。
【００３８】
これらの要求メッセージの受信に向けて基地局ＢＳはＷＬＡＮの無線局ＡＰ，ＭＳ１，ＭＳ２，Ｎ１，Ｎ２に規則的な時間間隔で無線リソースを割当てる。どの無線リソースをどの無線局に割当てるかに関する決定の際には、基地局ＢＳは要求メッセージが受信される無線局の前述したようなクラスを考慮する。割当てに関する決定がなされた後では基地局ＢＳは、当該割当てに関わる無線局に情報をもたらすメッセージを送信する。
【００３９】
図２には、そのような基地局ＢＳから送信された情報メッセージＲＥＳＳＯＵＲＣＥ  ＭＥＳＳＡＧＥの構造が示されている。この情報メッセージＲＥＳＳＯＵＲＣＥ  ＭＥＳＳＡＧＥの第１部分ＰＲＥＡＭＢＬＥは、新たな無線リソースの割当てで開始される期間を表している。それに続く部分は、どの無線リソースが割当てられているかに関する情報を無線局に提供している。基地局ＢＳはメッセージＲＥＳＳＯＵＲＣＥ  ＭＥＳＳＡＧＥを無線リソースが割当てられている全ての中継局と無線アクセスポイントに送信する。これに対してはメッセージＲＥＳＳＯＵＲＣＥ  ＭＥＳＳＡＧＥは放送毎に基地局ＢＳから放送されてもよい。無線リソースが割当てられている加入者側無線局は、このメッセージＲＥＳＳＯＵＲＣＥ  ＭＥＳＳＡＧＥを基地局ＢＳから直接受け取るか、又はこのメッセージＲＥＳＳＯＵＲＣＥ  ＭＥＳＳＡＧＥの転送によって受け取るか、又は中継局若しくは無線アクセスポイントＡＰによって自身に割当てられた無線リソースに関する情報から受け取る。
【００４０】
第１の無線周波数Ｆ１は、中継局Ｎ１及びＮ２と無線アクセスポイントＡＰによって利用されている。すなわち加入者側無線局が何も関わっていないＷＬＡＮ内の全てのメッセージ送信若しくは転送に対して用いられる。この第１の無線周波数Ｆ１に関して基地局ＢＳは無線局Ｎ１，Ｎ２，ＡＰにタイムスリットを割当てる。この割当は、受信した要求メッセージに依存して、ないしは無線リソースを要求する無線局のクラスに依存して行われる。第１の無線周波数Ｆ１に対するタイムスリット割当ての際の最高の優先付けは、要求メッセージＲＲ−Ｎ−Ｎを送信した中継局に対して行われる。それに続くのは、要求メッセージＲＲ−ＡＰ−Ｎを送信したアクセスポイントである。それ故に無線アクセスポイントＡＰにおける第１の無線周波数Ｆ１のためのタイムスリットの割当ては、無線リソースの割当てを要請した各中継局に自身の要求する規模でそれが割当てられている場合にのみ行われる。このようなやり方の理由は、中継局によって転送されるべきメッセージが既にＷＬＡＮの他の無線局から来ていることと、それ故に迅速に、すなわち中継局のもとに長く留まることによる不要な遅延なしで、アドレス指定されている無線局に伝送されるべきであることによる。しかしながら無線アクセスポイントが要求メッセージＲＲ−ＡＰ−Ｎに基づいて割当てたリソースの利用のもとで送信したメッセージは、無線アクセスポイントＡＰから新たにＷＬＡＮ内へ到達する。既にＷＬＡＮ内に存在するメッセージに対するこの新たにＷＬＡＮ内に送信されたメッセージの優遇化は、目下のＷＬＡＮ内の転送すべきメッセージの数を高め、それに伴ってメッセージ伝送の際の伝送時間の長期化や停滞、妨げなどを引き起こす。
【００４１】
さらなる３つの無線周波数Ｆ２，Ｆ３，Ｆ４に関するタイムスロットの割当ては、第１の無線周波数Ｆ１のためのタイムスリットの割当てに依存せずに行われる。これらのさらなる無線周波数は、加入者側無線局と中継局ないしは無線アクセスポイントの間で用いられる。これらのさらなる無線周波数Ｆ２，Ｆ３，Ｆ４に対するタイムスロットの割当の際にも基地局ＢＳは無線局の優先付けを考慮する。リソース割当ての際に加入者側無線局に直接メッセージの転送を要求している中継局、すなわち要求メッセージＲＲ−Ｎ−ＭＳを送信している中継局に最大の優先度が与えられる。第２の優先度は、加入者側無線局に直接メッセージの転送を要求している無線アクセスポイント、すなわち要求メッセージＲＲ−ＡＰ−ＭＳを送信している無線アクセスポイントに割当てられる。さらにまた要求メッセージＲＲ−Ｎ−ＭＳ及びＲＲ−ＡＰ−ＭＳに所属する無線局間でリソース割当ての際にそれらの優先度に関して区別しないようにする、すなわち両方を最大優先度で受け取るようにすることも可能である。最低の優先度は、要求メッセージＲＲ−ＭＳを送信した加入者側無線局に割当てられる。これらには、要求メッセージＲＲ−Ｎ−ＭＳを発した中継局と、要求メッセージＲＲ−ＡＰ−ＭＳを発した無線アクセスポイントにタイムスリットが割当てられた後でまだ自由なタイムスリットが得られる場合にのみ、無線周波数Ｆ２，Ｆ３，Ｆ４に対するタイムスリットが割当てられる。
【００４２】
有利には前述したさらなる無線周波数Ｆ２，Ｆ３，Ｆ４に関するタイムスリットの割当ての際の優先付けは、次のような条件のもとで行われる。すなわち１つの中継局とそれに対応付けられた複数の加入者側無線局からなる各クラスタに無線周波数Ｆ２，Ｆ３，Ｆ４のうちの１つに対してのみタイムスリットが割当てられているという条件のもとで行われる。 Steht z.B. 加入者側無線局の通信に対して、複数のＯＦＤＭ帯域に分けられている周波数帯域が使用できるのならば、このＯＦＤＭ帯域は無線リソースを要求している種々のクラスタ間で分けることができる。タイムスリットは、前述したようなそれらの各クラスタ周波数のクラスタの無線局に割当てられる。
【００４３】
前述したような無線リソース割当ての際の無線局の優先付けに関する実施例は、それらの信号が不所望に干渉し合う可能性のある無線局に対して特に有利となる。それにより例えば、３つの無線周波数Ｆ２，Ｆ３，Ｆ４の同じ周波数に関して移動無線局ＭＳ２とアクセスポイントＡＰに同じタイムスリットを割当てることが可能となる。なぜなら移動局ＭＳ２と無線アクセスポイントＡＰからの信号が当該移動局ＭＳ２とアクセスポイントＡＰ間の間隔に基づいて干渉しないからである。基地局ＢＳがＷＬＡＮの無線局ＡＰ，ＭＳ１，ＭＳ２，Ｎ１，Ｎ２間の間隔ないしはＷＬＡＮのネットワークトポロジを知っている場合には、この基地局は同じ無線リソースの割当てが伝送障害を引き起こす可能性のある無線局に関してそれぞれ前述したような優先付けを実行することが可能となる。前述したような方法は、このようなケースでは限定された地理的領域内で実施される。それに対して基地局ＢＳがＷＬＡＮの無線局ＡＰ，ＭＳ１，ＭＳ２，Ｎ１，Ｎ２間の間隔を知らない場合には、前述したようにＷＬＡＮの全ての無線局ＡＰ，ＭＳ１，ＭＳ２，Ｎ１，Ｎ２に対して優先付けが実施される。
【００４４】
複数のＯＦＤＭ帯域がクラスタに細分割されるケースでは、相互に十分に離間したクラスタに同じＯＦＤＭ帯域を割当てることが可能である。１つのクラスタ内では、複数のタイムスリットが中継局ないし無線アクセスポイントに対する優先度を伴って割当てられ、それに対して加入者側無線局への割当てが続けられる。
【００４５】
図３は本発明による基地局ＢＳの概略的な構造を示す。アンテナＡはセルラ無線インターフェースを介したメッセージの送受信に用いられる。このアンテナＡを介して受信された要求メッセージは、それらの処理と分析を行う手段ＲＥＣＥＩＶＥ  ＲＲに供給される。手段ＤＥＴＥＲＭＩＮＥ  ＡＬＬＯＣＡＴＩＯＮにおける無線リソース割当ての決定のために、前記要求メッセージに含まれている前述の方法に従った割当てに係る情報が前記手段ＲＥＣＥＩＶＥ  ＲＲから転送される。割当てに関する決定が行われた後では、無線局に関する情報が、無線局へのメッセージを作成してアンテナＡを介して送信する手段ＴＲＡＮＳＭＩＴ  ＲＥＳＳＯＵＲＣＥ  ＭＥＳＳＡＧＥに転送される。
【図面の簡単な説明】
【００４６】
【図１】無線通信システムを示した図
【図２】本発明による方法によって送信されるメッセージの内容を概略的に表した図
【図３】本発明による基地局の構造を概略的に表した図
【図１】
2007531439.tif 000003
【図２】
2007531439.tif 000004
【図３】
2007531439.tif 000005
【国際調査報告】
2007531439.tif 000006
2007531439.tif 000007
2007531439.tif 000008
2007531439.tif 000009
2007531439.tif 000010
2007531439.tif 000011